【手続補正書】
【提出日】令和3年2月12日(2021.2.12)
【手続補正１】
【補正対象書類名】特許請求の範囲
【補正対象項目名】全文
【補正方法】変更
【補正の内容】
【特許請求の範囲】
【請求項１】
記録材にトナー画像を形成する画像形成部と、
前記トナー画像を加熱することで記録材にトナー画像を定着させる定着部と、
前記定着部の温度を検知する温度検知手段と、
印字指令を受けて前記定着部がトナー画像を定着可能な所定の温度へ昇温する時の温度勾配を、前記温度検知手段を用いて計測する計測手段と、
前記計測手段が計測した前記温度勾配に関する値を記憶する記憶手段と、
記録材の給送開始タイミングを制御する制御部と、
を有し、
前記制御部は、前記温度勾配を計測するのに必要な所定時間の経過後に記録材の給送開始を許可する場合と、前記記憶手段に記憶された前記温度勾配に関する値に応じて前記所定時間経過するよりも前のタイミングで記録材の給送開始を許可する場合と、を設定可能であり、
前記記憶手段には、印字指令（Ｎ−１）回目の前記温度勾配に関する値が記憶されており、
前記制御部は、印字指令（Ｎ−１）回目の前記温度勾配に関する値が前記所定時間に関する値より小さい場合、印字指令Ｎ回目の給送開始を許可するタイミングを、前記所定時間経過するよりも前のタイミングであって前記記憶手段に記憶された前記温度勾配に関する値に応じたタイミングに設定することを特徴とする画像形成装置。
【請求項２】
前記制御部は、前記記憶手段に記憶された印字指令（Ｎ−１）回目の前記温度勾配に関する値が前記所定時間に関する値よりも小さい場合、印字指令Ｎ回目の記録材の給送開始を許可するタイミングを、前記所定時間経過するよりも前のタイミングであって前記記憶手段に記憶された前記温度勾配に関する値のタイミングに設定することを特徴とする請求項１に記載の画像形成装置。
【請求項３】
前記制御部は、前記記憶手段に記憶された印字指令（Ｎ−１）回目の前記温度勾配に関する値が前記所定時間に関する値よりも大きい場合、印字指令Ｎ回目の記録材の給送開始の許可タイミングを、前記所定時間経過後のタイミングに設定することを特徴とする請求項１又は２に記載の画像形成装置。
【請求項４】
印字指令の度に前記計測手段によって前記温度勾配を計測し、計測した前記温度勾配に関する値を前記記憶手段に記憶させることを特徴とする請求項１乃至３のいずれか１項に記載の画像形成装置。
【請求項５】
前記温度勾配に関する値は、時間であることを特徴とする請求項１乃至４のいずれか１項に記載の画像形成装置。
【請求項６】
前記制御部は、印字指令（Ｎ−１）回目の前記温度勾配に関する値と印字指令Ｎ回目の前記温度勾配に関する値の差が、閾値を超えた場合、トナー像を記録材に定着させる時の前記定着部の目標温度を補正することを特徴とする請求項１乃至５のいずれか１項に記載の画像形成装置。
【請求項７】
前記制御部は、印字指令（Ｎ−１）回目が入力されたタイミングと印字指令Ｎ回目が入力されたタイミングの時間差が閾値を超えた場合、前記記憶手段に記憶されている前記温度勾配に関する値に拘らず、記録材の給送開始タイミングを前記所定時間の経過後のタイミングに設定することを特徴とする請求項１乃至６のいずれか１項に記載の画像形成装置。
【請求項８】
前記制御部は、複数回の印字指令における前記温度勾配の計測結果の変動幅が閾値を超えた場合、記録材の給送開始タイミングを前記所定時間の経過後のタイミングに設定することを特徴とする請求項１乃至７のいずれか１項に記載の画像形成装置。
【請求項９】
前記定着部は、記録材上のトナー像と接触する筒状のフィルムと、前記フィルムの内面に接触し前記フィルムを介してトナー像を加熱するヒータと、を有することを特徴とする請求項１乃至８のいずれか１項に記載の画像形成装置。
【請求項１０】
前記定着部は、前記フィルムを介して前記ヒータと共に記録材を挟持搬送する定着ニップ部を形成する加圧ローラを有することを特徴とする請求項９に記載の画像形成装置。
【請求項１１】
記温度検知手段は、前記フィルムと前記ヒータと前記加圧ローラのうちの少なくとも一つの温度を検知することを特徴とする請求項１０に記載の画像形成装置。
【請求項１２】
記録材にトナー画像を形成する画像形成部と、
ヒータを有し、前記トナー画像を加熱することで記録材にトナー画像を定着させる定着部と、
前記定着部の温度を検知する温度検知手段と、
印字指令を受けて前記定着部がトナー画像を定着可能な所定の温度へ昇温する時の温度勾配を、前記温度検知手段を用いて計測する計測手段と、
前記計測手段が計測した前記温度勾配に関する値を記憶する記憶手段と、
記録材の給送開始タイミングを制御する制御部と、
を有し、
前記制御部は、印字指令に応じて前記ヒータへ電力供給開始してから所定時間経過後に記録材の給送開始を許可する場合と、前記記憶手段に記憶された前記温度勾配に関する値に応じて前記所定時間経過するよりも前のタイミングで記録材の給送開始を許可する場合と、を設定可能であり、
前記記憶手段には、印字指令（Ｎ−１）回目の前記温度勾配に関する値が記憶されており、
前記制御部は、印字指令（Ｎ−１）回目の前記温度勾配に関する値が前記所定時間に関する値より小さい場合、印字指令Ｎ回目の給送開始を許可するタイミングを、前記所定時間経過するよりも前のタイミングであって前記記憶手段に記憶された前記温度勾配に関する値に応じたタイミングに設定することを特徴とする画像形成装置。
【請求項１３】
前記制御部は、前記記憶手段に記憶された印字指令（Ｎ−１）回目の前記温度勾配に関する値が前記所定時間に関する値よりも小さい場合、印字指令Ｎ回目の記録材の給送開始を許可するタイミングを、前記記憶手段に記憶された前記温度勾配に関する値のタイミングに設定することを特徴とする請求項１２に記載の画像形成装置。
【請求項１４】
前記制御部は、前記記憶手段に記憶された印字指令（Ｎ−１）回目の前記温度勾配に関する値が前記所定時間に関する値よりも大きい場合、印字指令Ｎ回目の記録材の給送開始の許可タイミングを、前記所定時間経過後のタイミングに設定することを特徴とする請求項１２又は１３に記載の画像形成装置。
【請求項１５】
印字指令の度に前記計測手段によって前記温度勾配を計測し、計測した前記温度勾配に関する値を前記記憶手段に記憶させることを特徴とする請求項１２乃至１４のいずれか１項に記載の画像形成装置。
【請求項１６】
前記定着部は、記録材上のトナー像と接触する筒状のフィルムと、前記フィルムの内面に接触し前記フィルムを介してトナー像を加熱する前記ヒータと、を有することを特徴とする請求項１２乃至１５のいずれか１項に記載の画像形成装置。
【請求項１７】
前記定着部は、前記フィルムを介して前記ヒータと共に記録材を挟持搬送する定着ニップ部を形成する加圧ローラを有することを特徴とする請求項１６に記載の画像形成装置。
【請求項１８】
前記温度検知手段は、前記フィルムと前記ヒータと前記加圧ローラのうちの少なくとも一つの温度を検知することを特徴とする請求項１７に記載の画像形成装置。
【手続補正２】
【補正対象書類名】明細書
【補正対象項目名】０００９
【補正方法】変更
【補正の内容】
【０００９】
上記目的を達成するため、本発明に係る画像形成装置は、記録材にトナー画像を形成する画像形成部と、前記トナー画像を加熱することで記録材にトナー画像を定着させる定着部と、前記定着部の温度を検知する温度検知手段と、印字指令を受けて前記定着部がトナー画像を定着可能な所定の温度へ昇温する時の温度勾配を、前記温度検知手段を用いて計測する計測手段と、前記計測手段が計測した前記温度勾配に関する値を記憶する記憶手段と、記録材の給送開始タイミングを制御する制御部と、を有し、前記制御部は、前記温度勾配を計測するのに必要な所定時間の経過後に記録材の給送開始を許可する場合と、前記記憶手段に記憶された前記温度勾配に関する値に応じて前記所定時間経過するよりも前のタイミングで記録材の給送開始を許可する場合と、を設定可能であり、前記記憶手段には、印字指令（Ｎ−１）回目の前記温度勾配に関する値が記憶されており、前記制御部は、印字指令（Ｎ−１）回目の前記温度勾配に関する値が前記所定時間に関する値より小さい場合、印字指令Ｎ回目の給送開始を許可するタイミングを、前記所定時間経過するよりも前のタイミングであって前記記憶手段に記憶された前記温度勾配に関する値に応じたタイミングに設定することを特徴とする。
また、本発明に係る画像形成装置は、記録材にトナー画像を形成する画像形成部と、ヒータを有し、前記トナー画像を加熱することで記録材にトナー画像を定着させる定着部と、前記定着部の温度を検知する温度検知手段と、印字指令を受けて前記定着部がトナー画像を定着可能な所定の温度へ昇温する時の温度勾配を、前記温度検知手段を用いて計測する計測手段と、前記計測手段が計測した前記温度勾配に関する値を記憶する記憶手段と、記録材の給送開始タイミングを制御する制御部と、を有し、前記制御部は、印字指令に応じて前記ヒータへ電力供給開始してから所定時間経過後に記録材の給送開始を許可する場合と、前記記憶手段に記憶された前記温度勾配に関する値に応じて前記所定時間経過するよりも前のタイミングで記録材の給送開始を許可する場合と、を設定可能であり、前記記憶手段には、印字指令（Ｎ−１）回目の前記温度勾配に関する値が記憶されており、前記制御部は、印字指令（Ｎ−１）回目の前記温度勾配に関する値が前記所定時間に関する値より小さい場合、印字指令Ｎ回目の給送開始を許可するタイミングを、前記所定時間経過するよりも前のタイミングであって前記記憶手段に記憶された前記温度勾配に関する値に応じたタイミングに設定することを特徴とする。